(57)【要約】【課題】入力のチャンネル数に応じて符号化方式を自動的に切り替えることによって、少ないデータ容量で適切な音質を確保すること。【解決手段】ステレオ／モノラル判別部２で入力のチャンネル数を判別し、その結果をメインコントローラ３に送信する。メインコントローラ３は受信した結果に応じて選択部６を切り替えることで、モノラル符号化部４またはステレオ符号化部５の出力を選択する。モノラル符号化部４における符号化方式は、ステレオ符号化部５における符号化方式とは異なる方式が用いられる。選択された符号化データは、記録部７によりＳＤメモリカード８に記録される。【選択図】図１
2006276132.tif 000002
【特許請求の範囲】
【請求項１】
少なくとも音声信号を圧縮符号化して記憶媒体に記録する情報記録装置であって、
入力音声を第１の符号化方法に基づきモノラル符号化するモノラル符号化部と、
入力音声を第１の符号化方法とは異なる第２の符号化方法に基づきステレオ符号化するステレオ符号化部と、
前記入力音声がモノラル信号あるいはステレオ信号かの判別を行うステレオ／モノラル判別部と、
前記モノラル符号化部の出力または前記ステレオ符号化部の出力のいずれかを出力する選択部と、
前記ステレオ／モノラル判別部の出力に応じて前記選択部に対し、出力する符号化信号の切り替えを行う制御部と、
前記選択部から出力された前記符号化信号を記録する記録部と、を具備することを特徴とする情報記録装置。
【請求項２】
前記ステレオ／モノラル判別部は、前記入力音声のチャンネル間の信号相関を検出し、所定以上の相関がある場合にはモノラル信号、それ以下の相関であればステレオ信号という判別を行うことを特徴とする請求項１記載の情報記録装置。
【請求項３】
前記ステレオ／モノラル判別部における入力音声のチャンネル間の信号相関検出は、前記ステレオ符号部における処理の一部を構成することを特徴とする請求項２記載の情報記録装置。
【請求項４】
放送波を受信し、少なくとも前記入力音声を出力する放送受信部を更に設け、
前記ステレオ／モノラル判別部は、前記放送受信部から前記入力音声に係る情報を入力し、前記入力音声がステレオ信号あるいはモノラル信号かの判別を行うことを特徴とする請求項１記載の情報記録装置。
【発明の詳細な説明】
【技術分野】
【０００１】
本発明は、音声入力のチャンネル数を判別し、チャンネル数に応じた符号化方式を選択し音声符号化を行なって、媒体に記録を行う情報記録装置に関するものである。
【背景技術】
【０００２】
パソコンやデジタルカメラ等のディジタル機器における音声の符号化方式のチャンネル数は、モノラルが主流であったが、近年ではステレオの符号化方式も台頭してきている。
【０００３】
音声の符号化記録方式の従来技術としては、特許文献１に開示されているものがあるが、入力のチャンネル数にかかわらず、単一の符号化方式での符号化を行い、媒体に記録を行っている。
【特許文献１】特開２００３−１３２６２９号公報（段落００１４〜００２２及び図１参照）
【発明の開示】
【発明が解決しようとする課題】
【０００４】
しかしながら、ステレオの符号化方式での音声の符号化及び記録では、入力のチャンネル数がモノラルの場合であっても、ステレオとして符号化し記録を行うため、データ容量が増大してしまう。さらに、ステレオの符号化方式を採用している機器はまだ少数のため、音声符号化方式としてステレオの符号化方式のみを機器に搭載すると、モノラルの符号化方式のみに対応した従来の機器ではデータが再生できないという問題があった。
【０００５】
本発明は、上記従来の問題点を解決するもので、音声入力のチャンネル数を判別し、チャンネル数に応じた符号化方式を選択し、媒体に記録を行う情報記録装置を提供することを目的とする。
【課題を解決するための手段】
【０００６】
この課題を解決するために、本発明の情報記録装置は、少なくとも音声信号を圧縮符号化して記憶媒体に記録する情報記録装置であって、入力音声を第１の符号化方法に基づきモノラル符号化するモノラル符号化部と、入力音声を第１の符号化方法とは異なる第２の符号化方法に基づきステレオ符号化するステレオ符号化部と、前記入力音声がモノラル信号あるいはステレオ信号かの判別を行うステレオ／モノラル判別部と、前記モノラル符号化部の出力または前記ステレオ符号化部の出力のいずれかを出力する選択部と、前記ステレオ／モノラル判別部の出力に応じて前記選択部に対し、出力する符号化信号の切り替えを行う制御部と、前記選択部から出力された前記符号化信号を記録する記録部と、を具備するものである。
【０００７】
ここで、前記ステレオ／モノラル判別部は、前記入力音声のチャンネル間の信号相関を検出し、所定以上の相関がある場合にはモノラル信号、それ以下の相関であればステレオ信号という判別を行うものとしてもよい。
【０００８】
また、前記ステレオ／モノラル判別部における入力音声のチャンネル間の信号相関検出は、前記ステレオ符号部における処理の一部を構成するものとしてもよい。
【０００９】
また、放送波を受信し、少なくとも前記入力音声を出力する放送受信部を更に設け、前記ステレオ／モノラル判別部は、前記放送受信部から前記入力音声に係る情報を入力し、前記入力音声がステレオ信号あるいはモノラル信号かの判別を行うものとしてもよい。
【発明の効果】
【００１０】
本発明は、音声入力のチャンネル数を判別し、チャンネル数に対応した符号化方式を自動的に切り替えることによって、少ないデータ容量で適切な音質を確保することができる。また、モノラル符号化部を搭載することによって、モノラルの符号化方式のみに対応した機器でのデータ再生が可能になり、機器間での再生互換性が向上する。
【発明を実施するための最良の形態】
【００１１】
以下、本発明の実施の形態における情報記録装置について、図面を参照しつつ説明する。
【００１２】
（実施の形態１）
本発明の実施の形態１による情報記録装置の構成について、図１を用いて説明する。図１は、本実施の形態における情報記録装置の構成を示すブロック図である。ここでは、一例として媒体はＳＤメモリカードとし、記録する信号は音声信号のみとする。
【００１３】
以上のように構成された情報記録装置において、音声信号の記録を行う動作について説明する。
【００１４】
入力音声である音声信号はＡ／Ｄコンバータ１により、アナログ信号からディジタル信号に変換され、ステレオ／モノラル判別部２、モノラル符号化部４及びステレオ符号化部５に入力される。モノラル符号化部４ではモノラル形式での符号化（ここでは一例としてＧ．７２６とする）を、ステレオ符号化部５ではステレオ形式での符号化（ここでは一例としてＭＰＥＧ（Moving Picture Image Coding Expert Group）２  ＡＡＣ（Advanced Audio Coding）とする）を、それぞれ行う。一方、ステレオ／モノラル判別部２では、音声信号のチャンネル数の判別を行う。判別方式は、２チャンネル入力音声のチャンネル間の信号相関を検出して、予め決められた以上の相関がある場合にはモノラル信号、それ以下の相関であればステレオ信号という方式である。ステレオ／モノラル判別部２は判別結果を、メインコントローラ３に送信する。メインコントローラ３は受信した結果に応じて選択部６を切り替えることで、モノラル符号化部４またはステレオ符号化部５の出力を選択し、選択した結果を、媒体へのデータ記録を行う記録部７によって、ＳＤメモリカード８に記録する。このようにして、入力のチャンネル数に応じて符号化の種類を自動的に切り替え、符号化データを媒体に記録する。
【００１５】
以上のように本実施の形態によれば、音声入力のチャンネル数を判別し、チャンネル数に対応した符号化方式を自動的に切り替えることによって、少ないデータ容量で適切な音質を確保する。例えば、ＡＡＣの標準的なビットレートは６４〜１２８ｋｂｐｓであり、Ｇ．７２６のビットレートは３２ｋｂｐｓであることから、モノラル音声をモノラルで符号化したデータ容量は、モノラル音声をステレオで符号化したデータ容量の１／２〜１／４となる。従って、モノラル音声をわざわざステレオ符号化を用いて記録しないので、媒体の効率的に利用することができる。
【００１６】
（実施の形態２）
次に本発明の実施の形態２による情報記録装置について説明する。図２は実施の形態２における情報記録装置の構成を示すブロック図である。実施の形態１と同一部分は同一の符号を付け、それらの説明を省略する。図１に示した構成と異なるのは、ステレオ／モノラル判別部２０の入力がステレオ符号化部５０の出力となっている点である。ここでは一例として媒体はＳＤメモリカードとし、記録する信号は映像信号及び音声信号とする。
【００１７】
以上のように構成された情報記録装置において、音声信号の記録を行う動作について説明する。
【００１８】
音声信号はＡ／Ｄコンバータ１により、アナログ信号からディジタル信号に変換され、モノラル符号化部４及びステレオ符号化部５によって符号化される。なお、モノラル符号化部４及びステレオ符号化部５の符号化形式は、一例として実施の形態1と同様のものとし、それぞれ異なる符号化方式である。
【００１９】
また、ステレオ符号化部５はチャンネル間の相関検出信号、例えばＭＰＥＧ２  ＡＡＣでのＭ／Ｓ（Middle／Side）ステレオの差信号をステレオ／モノラル判別部２０に出力する。ステレオ／モノラル判別部２０では、相関検出信号を元に、音声信号のチャンネル数の判別を行う。判別方式は、例えばチャンネル間の差信号が、所定値以下の場合にはモノラル信号、所定値より大きい場合であればステレオ信号という判別を行う方式である。従って、ステレオ／モノラル判別部２０で必要とする相関検出機能の一部をステレオ符号化部５０が兼ね備えることになる。
【００２０】
ステレオ／モノラル判別部２０は判別結果をメインコントローラ３に送信する。メインコントローラ３は受信した結果に応じて選択部６を切り替えることで、モノラル符号化部４またはステレオ符号化部５０の出力を選択し、選択した結果を、媒体へのデータ記録を行う記録部７によって、ＳＤメモリカード８に記録する。このようにして、入力のチャンネル数に応じて符号化の種類を自動的に切り替え、符号化データを媒体に記録する。
【００２１】
以上のように実施の形態２によれば、音声入力のチャンネル数を判別し、チャンネル数に対応した符号化方式を自動的に切り替えることによって、少ないデータ容量で適切な音質を確保する。さらに、符号化処理部のブロックの一部をステレオ／モノラル判別処理に利用することで、ステレオ／モノラル判別部の構成を、実施の形態１に比べて単純化することができる。
【００２２】
（実施の形態３）
次に本発明の実施の形態３による情報記録装置について説明する。図３は実施の形態３における情報記録装置の構成を示すブロック図である。実施の形態１と同一部分は同一の符号をつけ、それらの説明を省略する。図１の構成に、放送受信部９、映像符号化部１０、ストリーム多重化部１１を追加する。ここでは一例として媒体はＳＤメモリカードとし、記録する信号は映像信号及び音声信号とする。
【００２３】
放送受信部９は、例えばアナログのテレビ放送を受信するものであり、映像信号及び音声信号を分離し、さらに音声信号中の放送モード制御信号（パイロット信号）を抽出するものである。映像符号化部１０は、ディジタル化された映像信号の符号化を行う。符号化の種類は、ここでは一例としてＭＰＥＧ４とする。ストリーム多重化部１１は、映像符号化部１０で符号化された映像データと、モノラル符号化部４またはステレオ符号化部５で符号化された音声データの多重化を行う。
【００２４】
以上のように構成された情報記録装置において、テレビ放送データの記録を行う動作について説明する。
【００２５】
放送受信部９で受信したテレビ放送データの映像データ及び音声データは、それぞれＡ／Ｄコンバータ１２でディジタル化され、映像データは映像符号化部１０によって符号化され、音声データはそれぞれモノラル符号化部４及びステレオ符号化部５によって符号化される。なお、モノラル符号化部４及びステレオ符号化部５の符号化形式は、一例として実施の形態１と同様のものとする。
【００２６】
一方、放送受信部９で抽出された放送モード制御信号より、ステレオ／モノラル判別部２１は音声のチャンネル数を判別し、判別結果をメインコントローラ３に送信する。メインコントローラ３は受信した結果に応じて選択部６を切り替えることで、モノラル符号化部４またはステレオ符号化部５の出力を選択し、選択した結果をストリーム多重化部１１で映像データと音声データの多重化を行い、記録部７によって、ＳＤメモリカード８に記録する。このようにして、テレビ放送の音声入力のチャンネル数に応じて符号化の種類を自動的に切り替え、符号化データを媒体に記録する。
【００２７】
以上のように実施の形態３によれば、テレビ放送の音声入力のチャンネル数を判別し、チャンネル数に対応した符号化方式を自動的に切り替えることによって、少ないデータ容量で適切な音質を確保する。
【００２８】
なお、実施の形態３において、ステレオ／モノラル判別部２１を放送受信部９とは別に設けたが、放送受信部９の中に設けてもよい。
【００２９】
また、実施の形態３において、映像符号化部の圧縮率の切り替えを、音声符号化部出力の切り替えと連動しても良い。
【００３０】
また、上記実施の形態において、データを記録する媒体をＳＤメモリカードとしたが、この限りではなく、半導体メモリ、光ディスク、光磁気ディスク、磁気ディスクなど特に限定されるものではない。
【００３１】
また、上記実施の形態において、モノラル符号化部の符号化方式と、ステレオ符号化部の符号化方式は、異なる方式であれば如何なる方式の組み合わせであっても良い。
【産業上の利用可能性】
【００３２】
本発明にかかる情報記録装置は、音声入力のチャンネル数に対応した符号化方式を自動的に切り替えることによって、少ないデータ容量で適切な音質を確保することができる。さらに、モノラル音声データの機器間での機器間での互換性の向上を実現することができる。このような機能は、媒体の容量の確保が困難な機器の音質確保及び機器間の互換性の向上が必要な用途に好適に利用できる。
【図面の簡単な説明】
【００３３】
【図１】本発明の実施の形態１における情報記録装置の構成を示すブロック図
【図２】同実施の形態２における情報記録装置の構成を示すブロック図
【図３】同実施の形態３における情報記録装置の構成を示すブロック図
【符号の説明】
【００３４】
１    Ａ／Ｄコンバータ
２    ステレオ／モノラル判別部
３    メインコントローラ
４    モノラル符号化部
５    ステレオ符号化部
６    選択部
７    記録部
８    ＳＤメモリカード
９    放送受信部
【図１】
2006276132.tif 000003
【図２】
2006276132.tif 000004
【図３】
2006276132.tif 000005